(57)【要約】【課題】リラックスした姿勢での磁気治療を可能にした。【解決手段】電源供給回路と、この電源供給回路の作動を制御する制御回路とを装置本体内に収容し、前記電源供給回路より電源を供給される第１のコイルと、第２のコイルとを人の手で保持できる大きさとするとともに、前記装置本体から延長コードによって延伸独立させて配置した。【選択図】        図１
2004358083.tif 000002
【特許請求の範囲】
【請求項１】
電源供給回路と、この電源供給回路の作動を制御する制御回路とを装置本体内に収容し、前記電源供給回路より電源を供給される第１のコイルと、第２のコイルとを人の手で保持できる大きさにするとともに、前記装置本体から延長コードによって延伸独立させて配置させたことを特徴とする磁気処理装置。
【請求項２】
前記第１のコイルを磁気情報源又は人体の一方の手に、前記第２のコイルを被転写体又は人体の他方の手に保持させた状態で前記第１のコイルに通電し、この第１のコイルの前記一方の手に近接する部分がプラスの磁場となるように第１のコイルを一定時間励磁させてから通電を停止させた後、前記第２のコイルに通電し前記他方の手に近接する部分がマイナスの磁場となるように第２のコイルを一定時間励磁させてから一定時間通電を停止させる第１工程を行った後、前記第１のコイルと第２のコイルとを同時に通電し、前記第１のコイルの前記一方の手に近接する部分が一定時間プラスの磁場に、前記第２のコイルの前記他方の手に近接する部分が一定時間マイナスの磁場になるように励磁させてから一定時間通電を停止させる第２工程を行い、この第１及び第２工程を複数回繰り返すようにしたことを特徴とする請求項１に記載の磁気処理装置。
【請求項３】
前記第１のコイルと前記第２のコイルのいずれか若しくは両方を前記装置本体から取り外し可能なように前記電源供給回路に接続したアウトプット端子を前記装置本体に一つ以上備えたことを特徴とする請求項１又は２に記載の磁気処理装置。
【請求項４】
前記第１のコイルと前記第２のコイルを使用者の手に固定するための締結手段を前記第１のコイル及び前記第２のコイルに設けたことを特徴とする請求項１、２又は３に記載の磁気処理装置。
【発明の詳細な説明】
【０００１】
【発明の属する技術分野】
この発明は電磁気を利用して、情報源となる液体又は固体の磁気的情報を他の液体又は固体に転写し、若しくは人体に電磁気を作用させることにより磁気治療を行うようにした磁気処理装置に関するものである。
【０００２】
【従来の技術】
従来のこの種の磁気情報の転写技術としては、特許文献１及び特許文献２に示す技術が知られている。このうち特許文献１の「液体の磁気処理方法」は、第１のコイルに近接して第１の液体を、第２のコイルに近接して第２の液体を、夫々位置付け設置すると共に、前記第１のコイルに通電して、この第１のコイルに生ずる磁気を前記第１の液体と第２の液体とに作用させる工程と、前記第１のコイルに対する通電を終了した後、前記第２のコイルに通電して、この第２のコイルに生ずる磁気を前記第１の液体と第２の液体とに作用させる工程とを１ないし複数回繰り返すことにより、第１の液体の磁気情報を第２の液体に転写するものである。また、特許文献２に示す「磁気処理装置」はコイルへの通電方法は、特許文献１と異なるが、第１のコイルと第２コイルへの通電を制御することにより磁気処理を行っている。
【０００３】
【特許文献１】
特許第２８９６０３０号
【特許文献２】
特開２００１−１４３２６２号公報
【０００４】
【発明が解決しようとする課題】
しかしながら、このような従来の磁気処理方法を用いた装置若しくは磁気処理装置は、２つのコイルを装置本体の上板直下に固定して装着して、装置の上面に電磁気を作用させるようにしていたため、磁気情報の転写元と転写先のいずれも、装置本体の上面に載置可能なものでなければならず、大きなものや固定されたものを転写元若しくは転写先に用いることは出来なかった。
また、この装置は人体に電磁気を作用させ、体内電流の調整を行う簡易電磁治療器としても用いられることがあったが、装置上面のコイルの真上に相当する２つの磁気発生部分に手を交差させて両手の平をのせて使用していたため、被治療者に不自然な姿勢を強いるため、逆に首や肩の緊張を招くこともあり、くつろいだ姿勢で治療を受けることが困難であった。
【０００５】
本発明の目的は、このような従来の磁気処理装置における問題点を解決し、大きなものや固定されたものの間でも磁気を作用させることを可能にするとともに、磁気治療において、被治療者にリラックスした姿勢で治療を受けることを可能にした磁気処理装置を得ることにある。
【０００６】
【課題を解決するための手段】
この目的を達成するため、本発明の磁気処理装置は、電源供給回路と、この電源供給回路の作動を制御する制御回路とを装置本体内に収容し、電源供給回路より電源を供給される第１のコイルと、第２のコイルとを人の手で保持できる大きさにするとともに、装置本体から延長コードによって延伸独立させて配置させたことを特徴とするものである。
【０００７】
また、本発明の磁気処理装置は、好ましくは、電源供給回路と、この電源供給回路の作動を制御する制御回路とを装置本体内に収容し、電源供給回路より電源を供給される第１のコイルと、第２のコイルとを人の手で保持できる大きさとするとともに、装置本体から延長コードによって延伸独立させて配置させ、第１のコイルを磁気情報源又は人体の一方の手に、第２のコイルを被転写体又は人体の他方の手に保持させた状態で第１のコイルに通電し、この第１のコイルの一方の手に近接する部分がプラスの磁場となるように第１のコイルを一定時間励磁させてから通電を停止させた後、第２のコイルに通電し他方の手に近接する部分がマイナスの磁場となるように第２のコイルを一定時間励磁させてから一定時間通電を停止させる第１工程を行った後、第１のコイルと第２のコイルとを同時に通電し、第１のコイルの一方の手に近接する部分が一定時間プラスの磁場に、第２のコイルの他方の手に近接する部分が一定時間マイナスの磁場になるように励磁させてから一定時間通電を停止させる第２工程を行い、この第１及び第２工程を複数回繰り返すようにしたことを特徴とするものである。
【０００８】
なお、第１及び第２のコイルは、装置本体に装着したアウトプット端子を介して取り外し可能に装着してもよく、延長コードの長さも必要に応じた長さとすることができる。また、コイルは剥き出しのまま使用しても何らかのカバーで覆うようにしても良く、使用者の手にコイル又はコイルケースを固定するためのバンドを用いても良い。このバンドは、コイルと別体のものを用いても良いが、コイル又はコイルケース自体に装着するようにしても良い。
【０００９】
本発明の磁気処理装置では、第１のコイルと第２のコイルとを装置本体から延長コードによって延伸独立させて配置させているので、磁気の情報源と被転写体の大きさ及び位置に影響されることなくそれらに磁気を作用させることができる。
また、磁気治療器として用いる場合にも、被治療者を寝そべらせた状態でその両手に第１のコイルと第２のコイルとをそれぞれ握らせて磁気を作用させたり、患部や東洋医学のつぼに相当する部分等、患者の身体部位のどの部分にも磁気を作用させることができる。
【００１０】
【実施例】
以下、図面を参照して本発明の磁気処理装置の一実施例について詳細に説明する。
図１において、制御回路１により駆動制御される電源供給回路２，３は直流電源４，５に接続され、制御回路１からの信号に基づき、第１のコイル６と、第２のコイル７とに、直流電源４，５から送られる電源を供給する。第１のコイル６と、第２のコイル７とは装置本体１０から延長コード１１、１２によって延伸独立させて配置させ、装置本体に取り付けた接続端子１３、１４に外部ジャック１５、１６を通じて接続する。この第１のコイル６と、第２のコイル７には、好ましくは空芯コイルを用いる。直流電源４，５から送られる電源には、実施例では、３０ｍＡ，３．３Ｖのものを使用した。８は起動スイッチ、９は時間設定スイッチである。
【００１１】
図２は、コイル６とコイル７との具体的な実施例を示す断面図である。図２において、プラスチック製のケース１７，１８は２分割、コイル６，７を配置し、延長コード１１，１２をコイル６，７に接続している。
【００１２】
次ぎにこの装置の作動を説明する。
図３、図４、図５は、第１のコイル６と第２のコイル７の作動を説明するための線図、図６は、横軸に時間を縦軸に電圧を表して、第１のコイル６と第２のコイル７へ送られる電圧をあらわした図である。
【００１３】
まず、本発明装置を磁気治療装置として用いる場合について説明する。図３に示すように第１のコイル６を上に人の一方の手１９に近接して配置するとともに、第２のコイル７を人の他方の手２０に近接して配置する。この時第１のコイル６と第２のコイル７とは、人の手のひらの上に載せるようにしてもよく、また、図示してないベルトで手のひらに固定するようにしてもよい。次ぎに起動スイッチ８を押すと、図６に示すように起動信号が送られ、制御回路１の作動に基づき、電源供給回路２より第１のコイル６にＴ１の時間だけ電源が供給され（３０ｍＡ、３．３Ｖ）、図３に示すように第１のコイル６の上方の一方の手１９に近接する部分が＋１０ガウスの磁場となる。Ｔ１時間経過後、図４に示すように第２のコイル７をＴ２の時間だけ、第１のコイル６とは逆むきの電流を供給すると他方の手２０に近接する部分がマイナス１０ガウスの磁場となる。第２のコイルをＴ２時間励磁させた後はＴ３時間通電を停止させる。この工程を第１工程とする。この第１工程を終了した後、図５に示すように第１のコイルと第２のコイルとを同時にＴ１時間通電し、第１のコイルの一方の手１９に近接する部分がＴ１時間プラスの磁場に、第２のコイルの他方の手２０に近接する部分がＴ１時間マイナスの磁場になるように励磁させてからＴ３時間通電を停止させる。この工程を第２工程とし、第１工程と第２工程を続けて行ったものを１ないし複数回繰り返すようにようにする。
なお、この実施例では、第１工程と第２工程を続けて行ったものを１ないし複数回繰り返すようにしたが、第１工程を複数回繰り返してから、第２工程を複数回繰り返すようにしても良い。
【００１４】
表１は時間設定スイッチ９の設定項目と、Ｔ１，Ｔ２，Ｔ３の時間及び第１工程と第２工程を繰り返す回数を示している。表中ＱＵＩＣＫは短時間転写の場合、ＳＴＡＮＤＡＲＤは標準の場合、ＬＯＮＧは長時間転写の場合を示している。
【００１５】
【表１】
2004358083.tif 000003
【００１６】
次に、本発明装置を磁気情報の転写装置として用いる場合について説明する。図７に示すように第１のコイル６を情報源２１に近接して配置するとともに、第２のコイル７を被転写体１６に近接して配置する。次ぎに起動スイッチ８を押すと、図５に示すように起動信号が送られ、制御回路１の作動に基づき、電源供給回路２より第１のコイル６にＴ１の時間だけ電源が供給され（３０ｍＡ、３．３Ｖ）第１のコイル６の上方の情報源２１に近接する部分が＋１０ガウスの磁場となる。Ｔ１時間経過後、図８に示すように第２のコイル７をＴ２の時間だけ、第１のコイル６とは逆むきの電流を供給すると被転写体２２に近接する部分がマイナス１０ガウスの磁場となる。第２のコイルをＴ２時間励磁させた後はＴ３時間通電を停止させる。この工程を第１工程とする。この第１工程を終了した後、図９に示すように第１のコイルと第２のコイルとを同時にＴ１時間通電し、第１のコイルの磁気情報源に近接する部分がＴ１時間プラスの磁場に、第２のコイルの被転写体に近接する部分がＴ１時間マイナスの磁場になるように励磁させてからＴ３時間通電を停止させる。この工程を第２工程とし、第１工程と第２工程を続けて行ったものを１乃至複数回繰り返すようにようにする。
なお、前述の実施例と同様にこの実施例でも、第１工程と第２工程を続けて行ったものを１乃至複数回繰り返すようにしたが、第１工程を複数回繰り返してから、第２工程を複数回繰り返すようにしても良い。
【００１７】
図１０は本発明の他の実施例である。この実施例では第１のコイルと第２のコイルとを外付けにしたものと本体に内蔵したものとを切り替えて使うようにしている。外付けの第１のコイル６及び第２のコイル７を本体から外しているときは、接続端子１３、１４により接続が切り替えられ、内蔵した第１のコイル６´と第２のコイル７´に電源供給回路２に接続される。
また、外部ジャック１５、１６を差し込むと接続端子１３、１４により接続が切り替えられ、第１のコイル６及び第２のコイル７が電源供給回路２接続され、内蔵した第１のコイル６´と第２のコイル７´とは電源供給回路２から接続を絶たれる。これにより、内蔵コイルと外部コイルを切り替えて使用することが可能になる。
【００１８】
実験例
実験例は、本発明の磁気処理装置を磁気治療器として用いた場合の被験者の指先温度及び血圧を測定したものである。
測定協力：Ｋ治療院（愛知県名古屋市）
実験に際しては、本発明の磁気処理装置の第１のコイルと第２のコイルとを夫々ベルトにて被験者の両手に固定し、約１００秒間施療を行い「使用前」「使用後」に被験者の血圧の変化及び手足指先温度を測定した。
実験は検体数１７人に、３６セッションの測定を行った。
被験者の内訳は表２に示す。
【００１９】
【表２】
2004358083.tif 000004
【００２０】
実験結果を表３に示す。
〔実験結果〕
【表３】
2004358083.tif 000005
2004358083.tif 000006
2004358083.tif 000007
2004358083.tif 000008
2004358083.tif 000009
2004358083.tif 000010
【００２１】
この表３の結果を集計すると、表４に示すようになった。
【表４】
2004358083.tif 000011
【００２２】
表４に示すように本発明の磁気処理装置の使用後、血圧が「上がった例」は、７０件中２５件であり、上昇の平均は８．０２％である。
高めの血圧が「下がった例」は７０件中４３件であり、下降の平均は７．７８％である。
また、血圧の変化全体平均は−１．９２％である。
指先温度の変化は１４４件中１１５件が上昇した。上昇平均は８．０４％である。
指先温度下降は１４４件中２７件のみである。下降平均は４．９６％である。
手足、上昇下降すべてを含めた変化平均値は＋５．５５％である。
この内、手指温度の変化平均は＋８．１２％であったが、磁気を作用させた部分が手のひらであるにもかかわらず、足指温度の変化平均は＋１．１６％であった。
また、表３において、治療を受けた本人及び、治療家の評価を５を最高とする５段階評価で表し、それぞれ表５及び表６に示した。
【００２３】
【表５】
2004358083.tif 000012
【００２４】
【表６】
2004358083.tif 000013
【００２５】
表５及び表６の結果を表３、表４の結果と合わせて総合的に判断すると、実験結果では、本人は感じていなくてもデータ上明らかにいい方向に進んだという例が多い。また、「不調になった」１名は淀んでいた体液が動き始めたためにかえって不調を感じたと考えられる。さらに、「血圧が高くて不調の人」、「血圧が低くて不調の人」、「冷え性」、「火照り性」、人によってそれぞれの組合せがあるが、いずれの場合も高めの血圧は下がる方向へ、低めの血圧は上がる方向へ、冷えのある指先は温度が上がる方向へと作用していることが確認された。これは、本発明装置における磁気の作用が「被験者の体調を正常な方向に整える」ように作用しているものと思われる。
【００２６】
【発明の効果】
以上詳述したように、本発明の磁気処理装置は、第１のコイルと第２のコイルとを装置本体から延長コードによって延伸独立させて配置させているので、従来の転写装置では不可能だった大型のものや、固定されたものも磁気の情報源又は被転写体として磁気を作用させることができる。
また、磁気治療器として用いた場合にも、被治療者を寝そべらせたリラックスした状態でその両手に第１のコイルと第２のコイルとをそれぞれ握らせて磁気を作用させたり、患部や東洋医学のつぼに相当する部分等、患者の身体部位のどの部分にも磁気を作用させることができ、さらに、第１のコイルと第２のコイルとを被治療者の手にベルトで固定した場合は、被治療者がコイルを握り締めている必要がなく、さらにリラックスした状態で磁気治療効果が得られる等、極めて応用範囲が広く有用性の高い磁気処理装置である。
【図面の簡単な説明】
【図１】本発明の磁気処理装置の一実施例の構成を示すブロック線図
【図２】本発明の磁気処理装置に用いる第１のコイル及び第２のコイルの具体的態様を表す断面図
【図３】本発明の磁気処理装置を磁気治療に用いる場合における第１のコイル６を励磁したときの状態を示す線図
【図４】本発明の磁気処理装置を磁気治療に用いる場合における第２のコイル７を励磁したときの状態を示す線図
【図５】本発明の磁気処理装置を磁気治療に用いる場合における第１のコイル６と第２のコイル７との両方を励磁したときの状態を示す線図
【図６】横軸に時間を縦軸に電圧を表して、第１のコイル６と第２のコイル７へ送られる電圧をあらわした図
【図７】本発明の磁気処理装置を磁気情報の転写に用いる場合における第１のコイル６を励磁したときの状態を示す線図本発明の磁気処理装置の他の実施例の構成を示すブロック線図
【図８】本発明の磁気処理装置を磁気情報の転写に用いる場合における第２のコイル７を励磁したときの状態を示す線図
【図９】本発明の磁気処理装置を磁気情報の転写に用いる場合における第１のコイル６と第２のコイル７との両方を励磁したときの状態を示す線図
【図１０】本発明の磁気処理装置の他の実施例の構成を示すブロック線図
【符号の説明】
１      制御回路
２，３  電源供給回路
４，５  電源
６      第１のコイル
７      第２のコイル
８      起動スイッチ
９      時間選択スイッチ
１０    装置本体
１１，１２  延長コード
１３，１４  接続端子
１５，１６  外部ジャック
１７，１８  ケース
１９    一方の手
２０    他方の手
２１    情報源
２２    被転写体
【図１】
2004358083.tif 000014
【図２】
2004358083.tif 000015
【図３】
2004358083.tif 000016
【図４】
2004358083.tif 000017
【図５】
2004358083.tif 000018
【図６】
2004358083.tif 000019
【図７】
2004358083.tif 000020
【図８】
2004358083.tif 000021
【図９】
2004358083.tif 000022
【図１０】
2004358083.tif 000023